(57)【要約】      （修正有）【課題】新聞紙等の紙類を収容できると共に、紙類を結束するための紐を纏めて保持する機能に優れる箱用シートを提供する。【解決手段】箱用シートは、１枚のシートからなり、紙類を積み重ねて収容可能なトレイ状の箱体に組み立て可能であり、左右方向に交互に連接され、四角筒状体に組み立てられる一対の長さ面パネル１ａ、１ｂ及び一対の幅面パネル２ａ、２ｂと、長さ面パネルの下縁から延出し、互いに係合されて箱体の底部に組み立てられる一対の底フラップ３ａ、３ｂと、長さ面パネルの下縁に連続して設けられ、組立状態で底部の下方に突出する第１脚片５とを備え、長さ面パネル及び幅面パネルが、上縁から下方に延びる一対の破断容易線１１、１６と、破断容易線の下端部同士を接続する第１折り曲げ容易線１２、１７とによって画定され、内面に重なるよう折り返される折り返し片１３、１８を有し、底部に、厚さ方向に貫通する貫通孔２１ｄが設けられる。【選択図】図１
0003230501.tif 000002
【実用新案登録請求の範囲】
【請求項１】
１枚のシートからなり、紙類を積み重ねて収容可能なトレイ状の箱体に組み立て可能な箱用シートであって、
左右方向に交互に連接され、四角筒状体に組み立てられる一対の長さ面パネル及び一対の幅面パネルと、
上記一対の長さ面パネルの下縁から延出し、互いに係合されて上記箱体の底部に組み立てられる一対の底フラップと、
上記一対の長さ面パネルの下縁に連続して設けられ、組立状態で上記底部の下方に突出する第１脚片と
を備え、
上記一対の長さ面パネル及び上記一対の幅面パネルが、上縁から下方に延びる一対の破断容易線と、これらの破断容易線の下端部同士を接続する第１折り曲げ容易線とによって画定され、内面に重なるよう折り返される折り返し片を有し、
上記底部に、厚さ方向に貫通する貫通孔が設けられている箱用シート。
【請求項２】
上記一対の幅面パネルの下縁から延出し、組立状態で上記一対の底フラップの上側に配置される一対の底内フラップと、
上記一対の幅面パネルの下縁に連続して設けられ、組立状態で上記底部の下方に突出する第２脚片と
をさらに備える請求項１に記載の箱用シート。
【請求項３】
一方の上記底フラップが、上記長さ面パネルの下縁から延出する矩形状の本体と、上記本体の先端縁から延出する突片とを有し、
他方の上記底フラップが、その先端縁に上記突片と係合される凹部を有し、
上記一対の底フラップの幅方向の両側に、基端側から先端側に向けて幅方向の内側に傾斜して延びる第２折り曲げ容易線が設けられている請求項１又は請求項２に記載の箱用シート。
【請求項４】
上記貫通孔が、上記凹部の底縁を貫通している請求項３に記載の箱用シート。
【請求項５】
上記折り返し片の折り返しによって上記一対の長さ面パネル及び上記一対の幅面パネルに形成される窪みの底部に切込みが設けられている請求項１から請求項４のいずれか１項に記載の箱用シート。
【考案の詳細な説明】
【技術分野】
【０００１】
本考案は、箱用シートに関する。
【背景技術】
【０００２】
新聞紙等の紙類を積み重ねて収容するためのケースとして、紙製のシートを組み立ててなるトレイ状の箱体が用いられている。このシートとして、本出願人は、四角筒状体に組み立てられる一対の長さ面パネル及び一対の幅面パネルと、上記四角筒状体の下部開口を封止可能な底形成フラップとを備えており、上記一対の長さ面パネル及び上記一対の幅面パネルが、上縁から下方に延びる一対の破断容易線と、これらの破断容易線の下端部同士を接続する折り曲げ容易線とによって画定され、内面に折り重なるよう折り曲げられる折り返し片を有する構成のものを発案している（実用新案登録第３２２３６０５号公報参照）。
【先行技術文献】
【特許文献】
【０００３】
【特許文献１】実用新案登録第３２２３６０５号公報
【考案の概要】
【考案が解決しようとする課題】
【０００４】
上記公報に記載の箱用シートは、一対の長さ面パネル及び一対の幅面パネルの少なくとも１つの上縁に、紙類を結束するための紐を仮止め可能な切込みを有している。そのため、この箱用シートは、紙類を結束するための紐を上記切込みに仮止めしておくことで、紙類の結束を容易に行うことができる。
【０００５】
一方、本出願人がさらに検討したところ、上記公報に記載されている箱用シートによると、上記切込みに仮止めされた状態で、紙類を結束するための紐が一対の長さ面パネル及び一対の幅面パネルの外側に膨らむ場合があり、紐を纏めて保持する機能においてさらなる改良の余地があることが分かった。
【０００６】
本考案は、このような事情に鑑みてなされたものであり、新聞紙等の紙類を収容できると共に、この紙類を結束するための紐を纏めて保持する機能に優れる箱用シートを提供することを目的とする。
【課題を解決するための手段】
【０００７】
本考案の一態様に係る箱用シートは、１枚のシートからなり、紙類を積み重ねて収容可能なトレイ状の箱体に組み立て可能な箱用シートであって、左右方向に交互に連接され、四角筒状体に組み立てられる一対の長さ面パネル及び一対の幅面パネルと、上記一対の長さ面パネルの下縁から延出し、互いに係合されて上記箱体の底部に組み立てられる一対の底フラップと、上記一対の長さ面パネルの下縁に連続して設けられ、組立状態で上記底部の下方に突出する第１脚片とを備え、上記一対の長さ面パネル及び上記一対の幅面パネルが、上縁から下方に延びる一対の破断容易線と、これらの破断容易線の下端部同士を接続する第１折り曲げ容易線とによって画定され、内面に重なるよう折り返される折り返し片を有し、上記底部に、厚さ方向に貫通する貫通孔が設けられている。
【考案の効果】
【０００８】
本考案の一態様に係る箱用シートは、新聞紙等の紙類を収容できると共に、この紙類を結束するための紐を纏めて保持する機能に優れる。
【図面の簡単な説明】
【０００９】
【図１】図１は、本考案の一実施形態に係る箱用シートを示す模式的平面図である。
【図２】図２は、図１の箱用シートを組み立ててなる箱体を示す模式的斜視図である。
【図３】図３は、図２の箱体の切込みに紐を仮止めした紙類収容前の状態を示す模式的平面図である。
【図４】図４は、図３の箱体に紙類を収容した状態を示す模式的斜視図である。
【図５】図５は、図２の箱体の切込みを示す模式的部分拡大図である。
【図６】図６は、図３の箱体のＶＩ−ＶＩ線断面図である。
【図７】図７は、図３の箱体の模式的底面図である。
【図８】図８は、図４の箱体に収容された紙類を紐で結束した状態を示す模式的斜視図である。
【図９】図９は、図１の箱用シートとは異なる実施形態に係る箱用シートを示す模式的平面図である。
【図１０】図１０は、図１及び図９の箱用シートとは異なる実施形態に係る箱用シートを示す模式的平面図である。
【考案を実施するための形態】
【００１０】
［本考案の実施形態の説明］
最初に本考案の実施態様を列記して説明する。
【００１１】
本考案の一態様に係る箱用シートは、１枚のシートからなり、紙類を積み重ねて収容可能なトレイ状の箱体に組み立て可能な箱用シートであって、左右方向に交互に連接され、四角筒状体に組み立てられる一対の長さ面パネル及び一対の幅面パネルと、上記一対の長さ面パネルの下縁から延出し、互いに係合されて上記箱体の底部に組み立てられる一対の底フラップと、上記一対の長さ面パネルの下縁に連続して設けられ、組立状態で上記底部の下方に突出する第１脚片とを備え、上記一対の長さ面パネル及び上記一対の幅面パネルが、上縁から下方に延びる一対の破断容易線と、これらの破断容易線の下端部同士を接続する第１折り曲げ容易線とによって画定され、内面に重なるよう折り返される折り返し片を有し、上記底部に、厚さ方向に貫通する貫通孔が設けられている。
【００１２】
当該箱用シートは、上記折り返し片の折り返しによって上記一対の長さ面パネル及び上記一対の幅面パネルに窪みが形成されるので、新聞紙等の紙類を箱体内に容易に積み重ねて収容することができる。当該箱用シートは、上記一対の長さ面パネルの下縁に連続して設けられ、組立状態で箱体の底部の下方に突出する第１脚片を備えているので、箱体の底部と箱体の設置面との間に空間を設けることができる。そのため、当該箱用シートは、例えば２本の紐を箱体の底部上で十字状に咬合させ、それぞれの紐の端部を上記長さ面パネル及び上記幅面パネルの上方に引き出した状態で、箱体内でだぶついている上記紐の余剰部分を上記貫通孔から上記底部と上記設置面との間の空間に引き出してこの空間に纏めて保持することができる。従って、当該箱用シートは、紐を纏めて保持する機能に優れる。
【００１３】
当該箱用シートは、上記一対の幅面パネルの下縁から延出し、組立状態で上記一対の底フラップの上側に配置される一対の底内フラップと、上記一対の幅面パネルの下縁に連続して設けられ、組立状態で上記底部の下方に突出する第２脚片とをさらに備えるとよい。このように、上記一対の幅面パネルの下縁から延出し、組立状態で上記一対の底フラップの上側に配置される一対の底内フラップと、上記一対の幅面パネルの下縁に連続して設けられ、組立状態で上記底部の下方に突出する第２脚片とをさらに備えることによって、紙類を箱体内により安定的に収容することができると共に、箱体の底部と箱体の設置面との間の空間を安定的に設けることができる。
【００１４】
一方の上記底フラップが、上記長さ面パネルの下縁から延出する矩形状の本体と、上記本体の先端縁から延出する突片とを有し、他方の上記底フラップが、その先端縁に上記突片と係合される凹部を有し、上記一対の底フラップの幅方向の両側に、基端側から先端側に向けて幅方向の内側に傾斜して延びる第２折り曲げ容易線が設けられているとよい。このように、一方の上記底フラップが、上記長さ面パネルの下縁から延出する矩形状の本体と、上記本体の先端縁から延出する突片とを有し、他方の上記底フラップが、その先端縁に上記突片と係合される凹部を有し、上記一対の底フラップの幅方向の両側に、基端側から先端側に向けて幅方向の内側に傾斜して延びる第２折り曲げ容易線が設けられていることによって、紙類を箱体内により安定的に収容することができると共に、箱体の底部と箱体の設置面との間の空間を安定的に設けることができる。
【００１５】
上記貫通孔が、上記凹部の底縁を貫通しているとよい。このように、上記貫通孔が、上記凹部の底縁を貫通していることによって、紙類を箱体内に安定的に収容しつつ、紙類を結束するための紐を箱体の底部と箱体の設置面との間の空間に引き出しやすい。
【００１６】
上記折り返し片の折り返しによって上記一対の長さ面パネル及び上記一対の幅面パネルに形成される窪みの底部に切込みが設けられているとよい。このように、上記折り返し片の折り返しによって上記一対の長さ面パネル及び上記一対の幅面パネルに形成される窪みの底部に切込みが設けられていることによって、紙類を結束するための紐の端部を容易に仮止めすることができる。その結果、上記紐が、上記一対の長さ面パネル及び上記一対の幅面パネルの外側に膨らむことを抑え、意図しない紐の引っ掛かり等を抑制することができる。
【００１７】
なお、本考案において、「左右方向」とは、箱用シートを組み立ててなる箱体の想定される一般的な使用態様における水平方向を意味し、「上」とは、想定される一般的な使用態様における上を意味し、「下」とは、想定される一般的な使用態様における下を意味する。「内」とは、箱体における内を意味する。「矩形状」とは、厳密な意味での矩形に限定されるものではなく、例えば周縁に切り欠きや開口が設けられた形状を含む。
【００１８】
［本考案の実施形態の詳細］
以下、適宜図面を参照しつつ、本考案の実施の形態を詳説する。
【００１９】
［第一実施形態］
［箱用シート］
図１の箱用シート１０は、１枚のシートからなる。当該箱用シート１０は、紙類を積み重ねて収容可能なトレイ状の箱体に組み立て可能であり、具体的には図２の箱体３０に組み立て可能である。当該箱用シート１０は、左右方向に交互に連接され、四角筒状体に組み立てられる一対の長さ面パネル１ａ、１ｂ及び一対の幅面パネル２ａ、２ｂと、一対の長さ面パネル１ａ、１ｂの下縁から延出する一対の底フラップ３ａ、３ｂと、一対の幅面パネル２ａ、２ｂの下縁から延出する一対の底内フラップ４ａ、４ｂとを備える。一対の底フラップ３ａ、３ｂは、互いに係合されて箱体３０の底部３１に組み立てられる。底部３１には、厚さ方向に貫通する貫通孔３１ａが設けられる。一対の底内フラップ４ａ、４ｂは、箱体３０に組み立てられた組立状態で、一対の底フラップ３ａ、３ｂの上側に配置される。また、当該箱用シート１０は、一対の長さ面パネル１ａ、１ｂの下縁に連続して設けられ、組立状態で底部３１の下方に突出する第１脚片５と、一対の幅面パネル２ａ、２ｂの下縁に連続して設けられ、組立状態で底部３１の下方に突出する第２脚片６とを備える。第１脚片５及び第２脚片６は、箱体３０において底部３１を設置面から離間して保持するための脚部として機能する。さらに、当該箱用シート１０は、左右方向の外側（図１では左右方向左側）に配置される長さ面パネル１ａの左右方向外側の側縁に連接される糊代７を備える。なお、図１において、太い実線はシートを切断して形成される切断線を示し、細い実線はシートの片面を筋押しして形成される罫線を示す。
【００２０】
当該箱用シート１０は、左右方向の外側（図１では左右方向右側）に配置される幅面パネル２ｂの左右方向外側の内面に糊代７を貼着し、一対の長さ面パネル１ａ、１ｂ及び一対の幅面パネル２ａ、２ｂを四角筒状体に組み立てたうえ、一対の底内フラップ４ａ、４ｂを内側に折り曲げ、さらに一対の底フラップ３ａ、３ｂを内側に折り曲げて互いに係合することでトレイ状に組み立てられる。幅面パネル２ｂへの糊代７の貼着は、例えば接着剤、ステープラー等を用いて行うことができる。一対の底フラップ３ａ、３ｂ同士の係合手順については後述する。
【００２１】
当該箱用シート１０に用いられるシートとしては、当該箱用シート１０を組み立ててなる箱体３０の形状を維持できる程度の強度を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、製造コストが低く、かつ箱体３０への組み立てが容易な段ボールシートが特に好ましい。当該箱用シートを形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２２】
（長さ面パネル）
一対の長さ面パネル１ａ、１ｂは、矩形状かつ略同形状に形成されている。長さ面パネル１ａ、１ｂの左右方向長さは幅面パネル２ａ、２ｂの左右方向長さよりも大きい。長さ面パネル１ａ、１ｂの左右方向長さとしては、箱体３０内に収容される紙類の大きさ等に基づいて適宜設定可能であるが、例えば上記紙類が新聞紙である場合、２８ｃｍ以上３８ｃｍ以下程度とすることができる。
【００２３】
長さ面パネル１ａ、１ｂの上下方向長さは幅面パネル２ａ、２ｂの上下方向長さと略等しい。長さ面パネル１ａ、１ｂの上下方向長さとしては、例えば２０ｃｍ以上５０ｃｍ以下程度とすることができる。
【００２４】
長さ面パネル１ａ、１ｂは、上縁から下方に延びる一対の破断容易線１１と、一対の破断容易線１１の下端部同士を接続する第１折り曲げ容易線１２とによって画定され、内面に重なるように折り返される折り返し片１３を有する。一対の破断容易線１１は、長さ面パネル１ａ、１ｂの上縁から下方に向けて互いに近接する方向に傾斜している。一対の破断容易線１１は、長手方向の途中で屈曲している。図２に示すように、箱体３０において、一対の長さ面パネル１ａ、１ｂには、折り返し片１３の折り返しによって窪み３２が形成される。
【００２５】
折り返し片１３は、箱体３０に組み立てられた状態で一対の底フラップ３ａ、３ｂ及び一対の底内フラップ４ａ、４ｂと平行に折り曲げられる接続部１３ａと、接続部１３ａから連続し、折り返し片１３を有する長さ面パネル１ａ、１ｂの内面に折り重ねられる第１折り重ね部１３ｂと、第１折り重ね部１３ｂから連続し、底部３１の上面に折り重ねられる第２折り重ね部１３ｃとを有する。接続部１３ａと第１折り重ね部１３ｂとの境界線には第３折り曲げ容易線１４が形成されている。第１折り重ね部１３ｂと第２折り重ね部１３ｃとの境界線には、第４折り曲げ容易線１５が形成されている。換言すると、折り返し片１３は、第１折り曲げ容易線１２と第３折り曲げ容易線１４とによって画定される接続部１３ａと、第３折り曲げ容易線１４と第４折り曲げ容易線１５とによって画定される第１折り重ね部１３ｂと、第４折り曲げ容易線１５を基端とする第２折り重ね部１３ｃとを有する。第１折り重ね部１３ｂは、第２折り重ね部１３ｃと接続される側の端縁に凸部を有する。この凸部は、箱体３０に組み立てられた状態で、底部３１と係合される係合部として機能する。第４折り曲げ容易線１５は、第１折り重ね部１３ｂと第２折り重ね部１３ｃとを折り曲げ可能に接続する接続部分と、第１折り重ね部１３ｂと第２折り重ね部１３ｃとを切断する切断部分とを有していてもよい。上記接続部分は、複数の切断線とシートの片面を筋押しした罫線とが交互に配置されたリード罫線とすることができる。第４折り曲げ容易線１５が上記接続部分と上記切断部分とを有する場合、上記切断部分は、上記凸部と第２折り重ね部１３ｃとの境界線、或いは上記凸部以外の部分と第２折り重ね部１３ｃとの境界線のいずれか一方に設けられていることが好ましい。この構成によると、折り曲げられた状態で第１折り重ね部１３ｂの切断エッジと第２折り重ね部１３ｃの切断エッジとを干渉させることで、第２折り重ね部１３ｃを第１折り重ね部１３ｂに対して垂直に保持しやすい。
【００２６】
図２に示すように、一対の長さ面パネル１ａ、１ｂは、折り返し片１３の折り返しによって形成される窪み３２の底部に切込み３３を有する。図３に示すように、箱体３０は、例えば２本の紐Ｓを底部３１上で十字状に咬合させ、それぞれの紐Ｓの端部を一対の長さ面パネル１ａ、１ｂ及び一対の幅面パネル２ａ、２ｂの上方に引き出した状態で使用される。つまり、図４に示すように、箱体３０は、紐Ｓの端部を一対の長さ面パネル１ａ、１ｂ及び一対の幅面パネル２ａ、２ｂの上方に引き出した状態で底部３１に紙類Ｐが積み重ねられる。この際、一対の長さ面パネル１ａ、１ｂに切込み３３が設けられていることで、この切込み３３に紐Ｓの端部を容易に仮止めすることができる。その結果、紐Ｓが、一対の長さ面パネル１ａ、１ｂの外側に膨らむことを抑えることができ、意図しない紐Ｓの引っ掛かり等を抑制することができる。
【００２７】
図５に示すように、切込み３３は、上方から下方に縮幅する紐導入部３３ａと、紐導入部３３ａの底部から下方に延びるスリット状の紐保持部３３ｂとを有する。当該箱用シート１０は、切込み３３が紐導入部３３ａを有することで切込み３３への紐Ｓの挿抜が容易となる。また、当該箱用シート１０は、切込み３３が紐保持部３３ｂを有することで、紐Ｓを容易に仮止めすることができる。
【００２８】
紐導入部３３ａは、切込み３３の基端部に設けられている。換言すると、紐導入部３３ａは、切込み３３の入り口を構成している。紐導入部３３ａの具体的形状としては、例えばＶ字状、円弧状、Ｕ字状等が挙げられ、底部に向けて紐Ｓを誘導しやすいＶ字状が好ましい。
【００２９】
紐保持部３３ｂは、直線状の切断線によって形成されている。紐保持部３３ｂは、紐導入部３３ａの下端部から鉛直下方に延びていることが好ましい。紐保持部３３ｂの長さとしては、例えば５ｍｍ以上２０ｍｍ以下程度とすることができる。
【００３０】
（幅面パネル）
一対の幅面パネル２ａ、２ｂは、矩形状かつ略同形状に形成されている。一対の幅面パネル２ａ、２ｂの左右方向長さとしては、箱体３０内に収容される紙類の大きさ等に基づいて適宜設定可能であるが、例えば上記紙類が新聞紙である場合、２１ｃｍ以上２８ｃｍ以下程度とすることができる。
【００３１】
一対の幅面パネル２ａ、２ｂは、上縁から下方に延びる一対の破断容易線１６と、一対の破断容易線１６の下端部同士を接続する第１折り曲げ容易線１７とによって画定され、内面に重なるように折り返される折り返し片１８を有する。図２に示すように、箱体３０において、一対の幅面パネル２ａ、２ｂには、折り返し片１８の折り曲げによって窪み３４が形成される。
【００３２】
折り返し片１８は、箱体３０に組み立てられた状態で一対の底フラップ３ａ、３ｂ及び一対の底内フラップ４ａ、４ｂと平行に折り曲げられる接続部１８ａと、接続部１８ａから連続し、折り返し片１８を有する幅面パネル２ａ、２ｂの内面に折り重ねられる第１折り重ね部１８ｂと、第１折り重ね部１８ｂから連続し、底部３１の上面に折り重ねられる第２折り重ね部１８ｃとを有する。接続部１８ａと第１折り重ね部１８ｂとの境界線には第３折り曲げ容易線１９が形成されている。第１折り重ね部１８ｂと第２折り重ね部１８ｃとの境界線には、第４折り曲げ容易線２０が形成されている。幅面パネル２ａ、２ｂに設けられる折り返し片１８の形状は、長さ面パネル１ａ、１ｂに設けられる折り返し片１３と概略同じとすることができる。
【００３３】
図２に示すように、一対の幅面パネル２ａ、２ｂは、折り返し片１８の折り返しによって形成される窪み３４の底部に切込み３５を有する。図３に示すように、当該箱用シート１０は、一対の幅面パネル２ａ、２ｂが切込み３５を有することで、紐Ｓの端部を容易に仮止めすることができる。その結果、紐Ｓが、一対の幅面パネル２ａ、２ｂの外側に膨らむことを抑え、意図しない紐の引っ掛かり等を抑制することができる。幅面パネル２ａ、２ｂに設けられる切込み３５の具体的な形状としては、長さ面パネル１ａ、１ｂに設けられる切込み３３と同様とすることができる。
【００３４】
（底フラップ）
一方の底フラップ３ｂ（以下、「第１底フラップ３ｂ」ともいう）は、長さ面パネル１ｂの下縁から延出する矩形状の本体２１ａと、本体２１ａの先端縁から延出する突片２１ｂとを有する。他方の底フラップ３ａ（以下、「第２底フラップ３ａ」ともいう）は、その先端縁に突片２１ｂと係合される凹部２２ａを有する。一対の底フラップ３ａ、３ｂの幅方向の両側には、基端側から先端側に向けて幅方向の内側に傾斜して延びる第２折り曲げ容易線２１ｃ、２２ｃが設けられている。
【００３５】
一対の底フラップ３ａ、３ｂ同士の係合手順について説明する。まず、一対の底内フラップ４ａ、４ｂが内側に略垂直に折り曲げられた状態で、第２底フラップ３ａを内側に略垂直に折り曲げ、さらに第１底フラップ３ｂを第２底フラップ３ａの外面側に折り重ねる。そして、第１底フラップ３ｂを第２底フラップ３ａの外面に押し当てた状態で押し込んでいく。この際、第１底フラップ３ｂに設けられた一対の第２折り曲げ容易線２１ｃ及び第２底フラップ３ａに設けられた一対の第２折り曲げ容易線２２ｃが適度に折れ曲がることで第１底フラップ３ｂを容易に押し込むことができる。第１底フラップ３ｂの突片２１ｂの先端縁が第２底フラップ３ａの凹部２２ａを通過するまで押し込んだ後、第１底フラップ３ｂの押し込みを解除する。これによって、シート材の反力により第１底フラップ３ｂ及び第２底フラップ３ａが押し戻され、この過程で突片２１ｂが凹部２２ａの内側に入り込む。その結果、第１底フラップ３ｂと第２底フラップ３ａとが互いに係合される。
【００３６】
当該箱用シート１０は、箱体３０の底部３１がこのように組み立てられることで、底部３１を設置面に対して平行に保持しやすい。そのため、紙類Ｐを箱体３０内により安定的に収容することができると共に、箱体３０の底部３１と設置面との間の空間を安定的に設けることができる。
【００３７】
一対の底フラップ３ａ、３ｂには、箱体３０の底部３１に貫通孔３１ａを形成するための開口又は切り欠きが設けられている。具体的には、当該箱用シート１０は、第１底フラップ３ｂの本体２１ａと凸部２１ｂとの境界線を含む部分に開口２１ｄが設けられ、第２底フラップ３ａの凹部２２ａの底縁に切り欠き２２ｄが設けられている。貫通孔３１ａは、この開口２１ｄ及び切り欠き２２ｄによって画定される。このように設けられることで、貫通孔３１ａは、凹部２２ａの底縁を貫通している。貫通孔３１ａは、底部３１の中心部分に設けられることが好ましい。
【００３８】
図３、図６及び図７に示すように、当該箱用シート１０は、箱体３０の底部３１に貫通孔３１ａが設けられるので、箱体３０内でだぶついている紐Ｓの余剰部分を貫通孔３１ａから底部３１と設置面との間の空間に引き出してこの空間に纏めて保持することができる。当該箱用シート１０は、貫通孔３１ａが凹部２２ａの底縁を貫通していることで、一対の底フラップ３ａ、３ｂが重なり合っている部分に貫通孔３１ａを設けることができる。これにより、貫通孔３１ａに起因して底部３１の強度が小さくなることを抑え、紙類Ｐを箱体３０内に安定的に収容しやすい。また、貫通孔３１ａが凹部２２ａの底縁を貫通していることで、貫通孔３１ａから引き出された紐Ｓを、凹部２２ａの底縁でガイドしつつ第１底フラップ３ｂ側に誘導しやすい。これにより、紐Ｓを箱体３０の底部３１と箱体３０の設置面との間の空間に引き出しやすい。
【００３９】
（底内フラップ）
一対の底内フラップ４ａ、４ｂは矩形状かつ略同一形状に形成されている。底内フラップ４ａ、４ｂの幅は、幅面パネル２ａ、２ｂの左右方向長さと略等しい。底内フラップ４ａ、４ｂの延出方向長さは、底フラップ３ａ、３ｂの延出方向長さと略等しい。
【００４０】
（脚片）
第１脚片５は、長さ面パネル１ａ、１ｂの下縁の左右方向中央部、及び左右方向両側の端部から連続して設けられている。第２脚片６は、幅面パネル２ａ、２ｂの下縁の左右方向中央部、及び左右方向両側の端部から連続して設けられている。展開状態で隣接する第１脚片５と第２脚片６とは一体的に設けられている。
【００４１】
＜利点＞
当該箱用シート１０は、折り返し片１３、１８の折り返しによって一対の長さ面パネル１ａ、１ｂ及び一対の幅面パネル２ａ、２ｂに窪み３２、３４が形成されるので、新聞紙等の紙類Ｐを箱体３０内に容易に積み重ねて収容することができる。当該箱用シート１０は、一対の長さ面パネル１ａ、１ｂの下縁に連続して設けられ、組立状態で箱体３０の底部の下方に突出する第１脚片５を備えているので、箱体３０の底部３１と箱体３０の設置面との間に空間を設けることができる。そのため、当該箱用シート１０は、例えば２本の紐Ｓを箱体３０の底部３１上で十字状に咬合させ、それぞれの紐Ｓの端部を長さ面パネル１ａ、１ｂ及び幅面パネル２ａ、２ｂの上方に引き出した状態で、箱体３０内でだぶついている紐Ｓの余剰部分を貫通孔３１ａから底部３１と設置面との間の空間に引き出してこの空間に纏めて保持することができる。従って、当該箱用シートは、紐を纏めて保持する機能に優れる。
【００４２】
当該箱用シート１０は、一対の幅面パネル２ａ、２ｂの下縁から延出し、組立状態で一対の底フラップ３ａ、３ｂの上側に配置される一対の底内フラップ４ａ、４ｂと、一対の幅面パネル２ａ、２ｂの下縁に連続して設けられ、組立状態で底部３１の下方に突出する第２脚片６とを備えるので、紙類Ｐを箱体３０内により安定的に収容することができると共に、箱体３０の底部３１と箱体３０の設置面との間の空間を安定的に設けることができる。
【００４３】
当該箱用シート１０によると、箱体３０内に紙類Ｐを積み重ねた状態で、紐Ｓの端部を上方に引き上げることで、底部３１と設置面との間の空間に収められていた紐Ｓの余剰部分が上方に引き上げることができる。これにより、図８に示すように、紐Ｓによって紙類Ｐを容易に結束し、紙類Ｐを箱体３０から容易に取り出すことができる。
【００４４】
［第二実施形態］
［箱用シート］
図９の箱用シート４０は、１枚のシートからなる。当該箱用シート４０は、紙類を積み重ねて収容可能なトレイ状の箱体に組み立て可能である。当該箱用シート１０は、左右方向に交互に連接され、四角筒状体に組み立てられる一対の長さ面パネル４１ａ、４１ｂ及び一対の幅面パネル４２ａ、４２ｂと、一対の長さ面パネル４１ａ、４１ｂの下縁から延出する一対の底フラップ４３ａ、４３ｂと、一対の幅面パネル４２ａ、４２ｂの下縁から延出する一対の底内フラップ４４ａ、４４ｂとを備える。一対の底フラップ４３ａ、４３ｂは、互いに係合されて箱体の底部に組み立てられる。上記底部には、厚さ方向に貫通する貫通孔が設けられる。また、当該箱用シート４０は、一対の長さ面パネル４１ａ、４１ｂの下縁に連続して設けられ、組立状態で底部の下方に突出する第１脚片４５と、一対の幅面パネル４２ａ、４２ｂの下縁に連続して設けられ、組立状態で底部の下方に突出する第２脚片４６とを備える。第１脚片４５及び第２脚片４６は、箱体において底部を設置面から離間して保持するための脚部として機能する。さらに、当該箱用シート４０は、左右方向の外側（図９では左右方向左側）に配置される長さ面パネル４１ａの左右方向外側の側縁に連接される糊代４７を備える。なお、図９において、太い実線はシートを切断して形成される切断線を示し、細い実線はシートの片面を筋押しして形成される罫線を示す。
【００４５】
一対の長さ面パネル４１ａ、４１ｂ及び一対の幅面パネル４２ａ、４２ｂはそれぞれ、上縁から下方に延びる一対の破断容易線５１、５６と、これらの破断容易線５１、５６の下端部同士を接続する第１折り曲げ容易線５２、５７とによって画定され、内面に重なるように折り返される折り返し片５０、５５を有する。折り返し片５０、５５は、組立状態で一対の底フラップ４３ａ、４３ｂ及び一対の底内フラップ４４ａ、４４ｂと平行に折り曲げられる接続部５０ａ、５５ａと、接続部５０ａ、５５ａから連続し、折り返し片５０、５５を有する長さ面パネル４１ａ、４１ｂ又は幅面パネル４２ａ、４２ｂの内面に折り重ねられる第１折り重ね部５０ｂ、５５ｂと、第１折り重ね部５０ｂ、５５ｂから連続し、箱体の底部の上面に折り重ねられる第２折り重ね部５０ｃ、５５ｃとを有する。接続部５０ａ、５５ａと第１折り重ね部５０ｂ、５５ｂとの境界線には第３折り曲げ容易線５３、５８が形成されている。第１折り重ね部５０ｂ、５５ｂと第２折り重ね部５０ｃ、５５ｃとの境界線には、第４折り曲げ容易線５４、５９が形成されている。
【００４６】
当該箱用シート４０は、破断容易線５１、５６が直線状であること、及び第４折り曲げ容易線５４、５９の接続部分がシートの片面を筋押しした罫線であること以外は、図１の箱用シート１０と概略同様の構成を有する。
【００４７】
＜利点＞
当該箱用シート４０を組み立ててなる箱体は、図２の箱体３０と同様に、紙類を収容できると共に、この紙類を結束するための紐を纏めて保持する機能に優れる。
【００４８】
［第三実施形態］
［箱用シート］
図１０の箱用シート６０は、１枚のシートからなる。当該箱用シート６０は、紙類を積み重ねて収容可能なトレイ状の箱体に組み立て可能である。当該箱用シート６０は、左右方向に交互に連接され、四角筒状体に組み立てられる一対の長さ面パネル６１ａ、６１ｂ及び一対の幅面パネル６２ａ、６２ｂと、一対の長さ面パネル６１ａ、６１ｂの下縁から延出する一対の底フラップ６３ａ、６３ｂと、一対の幅面パネル６２ａ、６２ｂの下縁から延出する一対の底内フラップ６４ａ、６４ｂとを備える。一対の底フラップ６３ａ、６３ｂは、互いに係合されて箱体の底部に組み立てられる。一方の底フラップ６３ａには、箱体の底部に貫通孔を形成するための開口６８が設けられている。開口６８は、組立状態で他方の底フラップ６３ｂとは重なり合わない位置に設けられている。また、当該箱用シート６０は、一対の長さ面パネル６１ａ、６１ｂの下縁に連続して設けられ、組立状態で底部の下方に突出する第１脚片６５と、一対の幅面パネル６２ａ、６２ｂの下縁に連続して設けられ、組立状態で底部の下方に突出する第２脚片６６とを備える。第１脚片６５及び第２脚片６６は、箱体において底部を設置面から離間して保持するための脚部として機能する。さらに、当該箱用シート６０は、左右方向の外側（図１０では左右方向左側）に配置される長さ面パネル６１ａの左右方向外側の側縁に連接される糊代６７を備える。なお、図１０において、太い実線はシートを切断して形成される切断線を示し、細い実線はシートの片面を筋押しして形成される罫線を示す。
【００４９】
一対の長さ面パネル６１ａ、６１ｂ及び一対の幅面パネル６２ａ、６２ｂはそれぞれ、上縁から下方に延びる一対の破断容易線７１、７６と、これらの破断容易線７１、７６の下端部同士を接続する第１折り曲げ容易線７２、７７とによって画定され、内面に重なるように折り返される折り返し片７０、７５を有する。当該箱用シート６０は、折り返し片７０、７５の折り返しによって一対の長さ面パネル６１ａ、６１ｂ及び一対の幅面パネル６２ａ、６２ｂに形成される窪みの底部に切込み７３、７８が設けられる。切込み７３、７８は、上下方向に延びるスリット状の第１直線部と、この第１直線部の下端に接続され、左右方向に延びるスリット状の第２直線部とを有する。
【００５０】
当該箱用シート６０は、箱体の底部に貫通孔を形成するための開口６８の配置、及び切込み７３、７８の形状以外、図９の箱用シート４０と概略同様の構成を有する。
【００５１】
＜利点＞
当該箱用シート６０を組み立ててなる箱体は、図２の箱体３０と同様に、紙類を収容できると共に、この紙類を結束するための紐を纏めて保持する機能に優れる。
【００５２】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００５３】
当該箱用シートにおいて、箱体の底部を構成するフラップの形状は特に限定されない。例えば当該箱用シートは、一対の長さ面パネルの下縁から延出する一対の底フラップの先端縁同士の合わせ目に封函テープを貼着して底部が組み立てられるものであってもよい。また、当該箱用シートは、一対の幅面パネルの下縁から延出する一対の底内フラップを有しない構成とすることも可能である。
【００５４】
当該箱用シートは、一対の長さ面パネルの下縁に連続して設けられる第１脚片によって箱体の底部と設置面との間に適切に空間を形成することができる場合等であれば、一対の幅面パネルの下縁に連続して設けられる第２脚片を有しなくてもよい。
【００５５】
当該箱用シートは、一対の長さ面パネル及び一対の幅面パネルに形成される窪みの底部に切込みを有しない構成とすることも可能である。また、当該箱用シートは、上記窪みの底部に設けられる切込みと共に、又はこの切込みに代えて、一対の長さ面パネル及び一対の幅面パネルの上縁等に他の切込みを有していてもよい。
【００５６】
上記折り返し片は、上述の接続部と第１折り重ね部と第２折り重ね部とを有する構成に限定されない。例えば上記折り返し片は、上記第２折り重ね部を有しなくてもよい。
【００５７】
上記箱体において紙類の結束に用いる紐の本数は特に限定されるものではない。
【産業上の利用可能性】
【００５８】
以上のように、本考案の一態様に係る箱用シートは、新聞紙等の紙類を積み重ねて収容するのに適している。
【符号の説明】
【００５９】
１ａ、１ｂ、４１ａ、４１ｂ、６１ａ、６１ｂ  長さ面パネル
２ａ、２ｂ、４２ａ、４２ｂ、６２ａ、６２ｂ  幅面パネル
３ａ、３ｂ、４３ａ、４３ｂ、６３ａ、６３ｂ  底フラップ
４ａ、４ｂ、４４ａ、４４ｂ、６４ａ、６４ｂ  底内フラップ
５、４５、６５  第１脚片
６、４６、６６  第２脚片
７、４７、６７  糊代
１０、４０、６０  箱用シート
１１、１６、５１、５６、７１、７６  破断容易線
１２、１７、５２、５７、７２、７７  第１折り曲げ容易線
１３、１８、５０、５５、７０、７５  折り返し片
１３ａ、１８ａ、５０ａ、５５ａ  接続部
１３ｂ、１８ｂ、５０ｂ、５５ｂ  第１折り重ね部
１３ｃ、１８ｃ、５０ｃ、５５ｃ  第２折り重ね部
１４、１９、５３、５８  第３折り曲げ容易線
１５、２０、５４、５９  第４折り曲げ容易線
２１ａ  本体
２１ｂ  突片
２１ｃ、２２ｃ  第２折り曲げ容易線
２１ｄ、６８  開口
２２ａ  凹部
２２ｄ  切り欠き
３０  箱体
３１  底部
３１ａ  貫通孔
３２、３４  窪み
３３、３５、７３、７８  切込み
３３ａ  紐導入部
３３ｂ  紐保持部
Ｐ  紙類
Ｓ  紐
【図１】
0003230501.tif 000003
【図２】
0003230501.tif 000004
【図３】
0003230501.tif 000005
【図４】
0003230501.tif 000006
【図５】
0003230501.tif 000007
【図６】
0003230501.tif 000008
【図７】
0003230501.tif 000009
【図８】
0003230501.tif 000010
【図９】
0003230501.tif 000011
【図１０】
0003230501.tif 000012